(57)【要約】【課題】  人体に低周波を伝達させるための体感音響ベッドパッドでは従来は効率的に低周波を人体に伝達させることと、人体の寝心地としての柔軟性の両方を兼ね備えることが困難であった。【構成】  低周波発振器１を備えた体感音響マット２において、前記体感音響マットが振動伝播マット３と自由振動マット４との２層構造であることと前記低周波発振器が前記振動伝播マットに固定されていることを特徴とする体感音響ベッドパッド。【選択図】図１
2006043361.tif 000002
【特許請求の範囲】
【請求項１】
低周波発振器１を備えた体感音響マット２において、前記体感音響マットが振動伝播マット３と自由振動マット４との２層構造であることと前記低周波発振器が前記振動伝播マットに固定されていることを特徴とする体感音響ベッドパッド。
【請求項２】
請求項１の体感音響ベッドパッドにおいて、前記体感音響マットの振動伝播マット露出面に接する位置に体接触シート５を配置することを特徴とする体感音響ベッドパッド。
【請求項３】
請求項２の前記体接触シートがキルティングを素材とすることを特徴とする体感音響ベッドパッド。
【請求項４】
請求項１から３のいずれかの体感音響ベッドパッドにおいて、前記低周波発振器と前記自由振動マットとの隙間に振動伝播ブロック６が挿入され、前記振動伝播ブロックが前記振動伝播マットと接触していることを特徴とする体感音響ベッドパッド。
【請求項５】
請求項１から４のいずれかの体感音響ベッドパッドにおいて前記振動伝播マットの硬度が、前記自由振動マットの硬度よりも高いことを特徴とする体感音響ベッドパッド。
【請求項６】
請求項１から５のいずれかの体感音響ベッドパッドにおいて前記振動伝播マットの密度が４６ｋｇ／ｍ３以上４８ｋｇ／ｍ３以下であることと、前記自由振動マットの密度が４４ｋｇ／ｍ３以上４６ｋｇ／ｍ３未満であることを特徴とする体感音響ベッドパッド。
【請求項７】
請求項１から６のいずれかの体感音響ベッドパッドにおいて前記振動伝播マットがポリエステル系固綿を素材としていることを特徴とする体感音響ベッドパッド。
【請求項８】
請求項１から７のいずれかの体感音響ベッドパッドにおいて前記自由振動マットがポリエステル系柔綿を素材としていることを特徴とする体感音響ベッドパッド。
【請求項９】
請求項１から８のいずれかの体感音響ベッドパッドにおいて、無加重状態および寝具としての使用状態において前記低周波発振器が前記振動伝播マットの上面よりも上方に突起することがないことを特徴とする体感音響ベッドパッド。
【請求項１０】
請求項１から９のいずれかの体感音響ベッドパッドにおいて、無加重状態および寝具としての使用状態において前記前記低周波発振器が前記自由振動マットの下面よりも下方に突起することがないことを特徴とする体感音響ベッドパッド。
【請求項１１】
請求項１から１０のいずれかの体感音響ベッドパッドの使用方法において、前記振動伝播マットまたはその上方の前記体接触シートに人体が横たわることを特徴とする体感音響ベッドパッドの使用方法。
【請求項１２】
請求項１１の体感音響ベッドパッドの使用方法において、前記人体が前記低周波発振器と触れないことを特徴とする体感音響ベッドパッドの使用方法。
【発明の詳細な説明】
【発明の詳細な説明】
【産業上の利用分野】
【０００１】  本発明は体感音響ベッドパッドおよびその使用方法に関する。
【背景技術】
【０００２】  体感音響ベッドパッドの類似技術はいくつかすでに報告されている。例えばソニー株式会社は特開２００２−３５４５６７において、「音響装置、音響装置を内蔵した家具及び音響装置を座席に内蔵した交通機関」に関して技術を開示している。この明細書の第７２段落での説明および図１０においてベッド用マットに体感スピーカーを配置して医療用等に利用することについて言及している。ソニー株式会社は特開２００２−３４６４７６においても同様な技術開示を行っている。株式会社アクーヴ・ラボは、特開２００１−８６５８０において、「振動音楽の表現方法及びその装置」に関して技術を開示している。この開示においてはベッドではなくリクライニングシートでの応用を中心に技術を述べている。パイオニアは、昭６１−２０４８８において「体感音響振動装置」に関して技術開示を行っている。この明細書においても主に椅子に低周波発振器を埋め込む技術について説明を行っている。
【公知の従来技術文献】
【０００３】  特開２００２−３５４５６７、特開２００２−３４６４７６、特開２００１−８６５８０、昭６１−２０４８８
【発明が解決しようとする課題】
【０００４】  従来の技術ではベッドや椅子に低周波発振器を埋め込むという基本的な発想に留まったレベルの技術であった。このため、実際に低周波発振器を埋め込んでそのベッドや椅子に人体が乗って使用した場合に生じる各種の課題については考慮がなされていなかった。ベッドの場合には人が横たわって全身をあずけるものであるので、その基本的な寝心地感が損なわれるとたとえ低周波発振器で発生する低周波が人体にリラックス効果を与えるものであったとしても総合的な寝心地感は損なわれたという印象になってしまう。ベッドが本来期待されている寝心地感を損なうことなく低周波発振器のリラックス効果を人体が享受することが従来の低周波発振器とそれを用いた器具では達成できていないという課題を解決する事を本発明の目的とする。
【課題を解決するための手段】
【０００５】  本発明の体感音響ベッドパッドは、第１に、低周波発振器１を備えた体感音響マット２という特徴に加えて、前記体感音響マットが振動伝播マット３と自由振動マット４との２層構造であることと前記低周波発振器が前記振動伝播マットに固定されていることを特徴とし、
第２に、前記第１の特徴に加えて、前記体感音響マットの振動伝播マット露出面に接する位置に体接触シート５を配置することを特徴とし、
第３に、前記第２の特徴に加えて、前記体接触シートがキルティングを素材とすることを特徴とし、
第４に、前記第１から３のいずれかの特徴に加えて、前記低周波発振器と前記自由振動マットとの隙間に振動伝播ブロック６が挿入され、前記振動伝播ブロックが前記振動伝播マットと接触していることを特徴とし、
第５に、前記第１から４のいずれかの特徴に加えて、前記振動伝播マットの硬度が、前記自由振動マットの硬度よりも高いことを特徴とし、
第６に、前記第１から５のいずれかの特徴に加えて、前記振動伝播マットの密度が４６ｋｇ／ｍ３以上４８ｋｇ／ｍ３以下であることと、前記自由振動マットの密度が４４ｋｇ／ｍ３以上４６ｋｇ／ｍ３未満であることを特徴とし、
第７に、前記第１から６のいずれかの特徴に加えて、前記振動伝播マットがポリエステル系固綿を素材としていることを特徴とし、
第８に、前記第１から７のいずれかの特徴に加えて、前記自由振動マットがポリエステル系柔綿を素材としていることを特徴とし、
第９に、前記第１から８のいずれかの特徴に加えて、無加重状態および寝具としての使用状態において前記低周波発振器が前記振動伝播マットの上面よりも上方に突起することがないことを特徴とし、
第１０に、前記第１から９のいずれかの特徴に加えて、無加重状態および寝具としての使用状態において前記前記低周波発振器が前記自由振動マットの下面よりも下方に突起することがないことを特徴とし、
本発明の体感音響ベッドパッドの使用方法は、前記第１から１０のいずれかの特徴を備える体感音響ベッドパッドを前記振動伝播マットまたはその上方の前記体接触シートに人体が横たわることを第１１の特徴とし、
第１２に、前記第１１の体感音響ベッドパッドの使用方法の特徴に加えて、前記人体が前記低周波発振器と触れないことを特徴とする。
【発明を実施するための最良の形態】
【０００６】  本発明の体感音響ベッドパッドにおいて、低周波発振器１を備えた体感音響マット２という特徴に加えて、前記体感音響マットが振動伝播マット３と自由振動マット４との２層構造であることと前記低周波発振器が前記振動伝播マットに固定されている第１の特徴を備える場合には、前記振動伝播マットと自由振動マットとを貼り合せた体感音響マットに複数個の貫通穴を設けて、その穴に前記低周波発振器を設置する。この設置の際に前記低周波発振器を前記振動伝播マットに糊付け固定する。この固定によって前記低周波発振器で発生した振動の大部分は前記振動伝播マットに効率的に伝達される。前記低周波発振器の振動が上下動の場合には前記体感音響マットに取り付けられた複数個の低周波発振器が全て同期した上下動をすることになり、取り付けられた前記振動伝播マットは前記複数個の低周波発振器の上下動に呼応して上下動の振動をする。【０００７】  前記第１の特徴に加えて、前記体感音響マットの振動伝播マット露出面に接する位置に体接触シート５を配置する第２の特徴を備える場合には、振動伝播特性に優れた振動伝播マットの上に人体が心地よく感じる表面素材を有したからだ接触シートを設置することにより、効率的な振動伝播と人体への接触の心地よさを両立させることができる。ここで人体が心地よく感じるということについて詳しく述べる。人体の皮膚表面は呼吸をしており、かつ発汗もしている。このため、皮膚表面を塞ぐような密着性のシートでは皮膚呼吸が困難で健康に悪い上に蒸れてしまい心地よくない。通気性に優れてかつ人体の皮膚がこすれても損傷しないソフトな素材が心地よい素材と言える。【０００８】  前記第２の特徴に加えて、前記体接触シートがキルティングを素材とする第３の特徴を備える場合には、通気性およびソフトな肌触りを得る具体的な素材としてキルティングを採用している。キルティング自体は軽いので下地の振動伝播マットの振動をほとんど遮蔽することなく人体に伝達するという効果も期待できる。【０００９】  前記第１から３のいずれかの特徴に加えて、前記低周波発振器と前記自由振動マットとの隙間に振動伝播ブロック６が挿入され、前記振動伝播ブロックが前記振動伝播マットと接触している第４の特徴を備える場合には、前記低周波発振器と前記振動伝播マットとの直接の固定に加えて、前記自由振動マットと近接している前記低周波発振器表面にも振動伝播ブロックを接着等の方法で固定することが特徴である。この振動伝播ブロックは前記振動伝播マットに固定されるので、結果として前記低周波発振器は前記振動伝播マットとの直接固定と振動伝播ブロックを介した間接固定の両方によって前記振動伝播マットと固定されており、前記低周波発振器の振動をより効率的に前記振動伝播マットに伝達できる。【００１０】  前記第１から４のいずれかの特徴に加えて、前記振動伝播マットの硬度が、前記自由振動マットの硬度よりも高い第５の特徴を備えている場合には、マットの素材選別の手段として手軽な硬度の高さという尺度を用いて２層のマットを使い分ける。硬度が高いほど振動の伝播効率が高い傾向があるので前記振動伝播マットには高度の高い素材を用いて、低周波発振器の振動を妨げないための役割��して用いる自由振動マットには振動に応じた変形のしやすい低硬度の素材を用いる。【００１１】  前記第１から５のいずれかの特徴に加えて、前記振動伝播マットの密度が４６ｋｇ／ｍ３以上４８ｋｇ／ｍ３以下であることと、前記自由振動マットの密度が４４ｋｇ／ｍ３以上４６ｋｇ／ｍ３未満である第６の特徴を備える場合には、振動伝播マットには４６ｋｇ／ｍ３以上の高密度な素材を用いることで振動の伝播効率を高める。人体が乗ることを考慮すると板のように固い材質では寝心地が悪いので４８ｋｇ／ｍ３以下の密度で寝心地の良さを維持する設定とした。一方、自由振動マットは低周波発振器の振動を減衰させないように振動に合わせて変形しやすいように４６ｋｇ／ｍ３未満の密度の素材を使用する。人体が乗った場合に極端に沈み込まないために４４ｋｇ／ｍ３以上にすることとした。【００１２】  前記第１から６のいずれかの特徴に加えて、前記振動伝播マットがポリエステル系固綿を素材としている第７の特徴を備える場合には、前記振動伝播マットが低周波発振器から発する振動をその上に寝そべる人体に効率的に伝達できる上に、ポリエステル系固綿の硬さが極端な沈み込みを抑制できている。【００１３】  前記第１から７のいずれかの特徴に加えて、前記自由振動マットがポリエステル系柔綿を素材としている第８の特徴を備えている場合には、自由振動マットとして低周波発振器の振動を減衰させることのない優れた変形特性を備える柔らかいポリエステル系素材を利用する。このことで人体の重みで極端に沈み込むことも防げる。【００１４】  前記第１から８のいずれかの特徴に加えて、無加重状態および寝具としての使用状態において前記低周波発振器が前記振動伝播マットの上面よりも上方に突起することがない第９の特徴を備える場合には、前記振動伝播マットの上に人体が寝そべった場合に圧縮によって凹むその高さよりも前記低周波発振器の高さが低い位置になるように設置する。こうすることで人体が前記低周波発振器の上に乗った場合でも人体が異物感を感じることがない。無加重状態においても前記低周波発振器の上面が突出することがないようにすることで未使用状態でのベッドの姿も整然とする。このために、前記低周波発振器の上面が前記振動伝播マットの上面よりも低位置になるように設置する。【００１５】  前記第１から９のいずれかの特徴に加えて、無加重状態および寝具としての使用状態において前記前記低周波発振器が前記自由振動マットの下面よりも下方に突起することがない第１０の特徴を備える場合には、無加重状態および寝具として使用して人体の圧力が加わっている状態でも前記低周波発振器の下面が下に突出することがない。このために、前記低周波発振器の下面が前記自由振動マットの下面よりも高位置になるように設置する。【００１６】  本発明の体感音響ベッドパッドの使用方法として、前記第１から１０のいずれかの特徴を備える体感音響ベッドパッドを前記振動伝播マットまたはその上方の前記体接触シートに人体が横たわる第１１の特徴を備える場合には、人体に前記低周波発振器の振動を効率的に伝えるように前記振動伝播マットの面を上にして、その上に人体を横たわらせる。【００１７】  前記第１１の体感音響ベッドパッドの使用方法の特徴に加えて、前記人体が前記低周波発振器と触れない第１２の特徴を備える場合には、人体は前記低周波発振器と直接接触することのないように配置を工夫して、前記低周波発振器の振動を前記振動伝播マットを介して人体に伝えることとする。このことで人体は振動に包み込まれたような心地よい感触を得られる。
【実施例】
【００１８】  本発明実施例１について説明する。図１には本発明実施例１を描いている。円盤状の低周波発振器１を備えた体感音響マット２において、前記体感音響マットが振動伝播マット３と自由振動マット４との２層構造であることと前記低周波発振器が前記振動伝播マットに固定されている。この体感音響マットには図に示す通りに前記振動伝播マット側に人体１００を乗せて使用する。前記マットはベッド１０１の上に乗せて使用する。この実施例において、前記振動伝播マットには密度４６．５ｋｇ／ｍ３のポリエステル系固綿を使用することで、人体にとって固すぎずかつ振動伝播特性に優れたマットを実現した。前記自由振動マットには密度４４ｋｇ／ｍ３のポリエステル系柔綿を使用することで前記低周波発振器の振動の減衰を抑制する効果と人体を乗せた際のクッションとしての機能を最大限に発揮させた。この２つの素材の組み合わせが体感音響マットとして最もよい組み合わせであることがわかった。２つのポリエステル系素材は糊付けして２層構造の体感音響マットに仕上げている。体感音響マットには複数個の貫通穴を設けている。この穴の部分に低周波発振器１をはめ込んで糊付けしてある。糊付けは前記低周波発振器と前記振動伝播マットの間で行う。この糊付けによって低周波発振器が脱落せずに体感音響マットに固定され、かつ、この振動を効率的に振動伝播マットに伝播させることができる。図１において前記低周波発振器が前記振動伝播マットには接しているが前記自由振動マットには接していない状況が描かれている。このように前記低周波発振器が前記振動伝播マットだけに接触することで前記振動伝播マットに効率的に振動を伝播させることが本実施例の特徴である。図１において、前記低周波発振器の上面が前記振動伝播マットの上面よりも低く配置されているのがわかる。これは前記振動伝播マットの上に乗る人体が寝返りを打って前記低周波発振器上に来た場合でも前記低周波発振器の固い部分と接しないように配慮してあるからである。この場合、無加重状態において前記振動伝播マットの上面よりも前記低周波発振器の上面が５ｍｍ低く配置してある。前記低周波発振器の下面が前記自由振動マットの下面よりも高めに配置してあるのは人体が乗った状態で発振した場合に前記低周波発振器がベッド１０１に接触しないように配慮してあるからである。１０ｍｍ高めに配置してある。前記低周波発振器がベッド１０１と接触するとベッドに振動が加わってベッドの表面が劣化するとともに人体への振動伝播効率が著しく低下してしまうので接触をしないように配慮した配置としてある。【００１９】  図２は実施例１の体感音響マット２の正面図である。低周波発信器１が前記体感音響マットに複数個埋め込まれている。【００２０】  図３には本発明の実施例２を描いた。図１に描いた実施例１の特徴に加えて、前記体感音響マットの振動伝播マット露出面に接する位置に体接触シート５を配置することを特徴とする体感音響ベッドパッドである。体接触シートとしては軽いキルティング生地を使用した。軽いキルティング生地とすることでこの生地での振動吸収による伝播効率低下を抑制できるとともに人体が乗った際に通気がよく寝心地感が向上する。【００２１】  ���発明実施例３について図４を用いて説明する。実施例２の特徴に加えて振動伝播ブロック６を備えた構造である。このブロックは前記振動伝播マットが接していない低周波発振器１表面を取り巻くように配置されている。このブロックはその周囲の低周波発振器、振動伝播マット、自由振動マットの全てと糊付けされている。このことで低周波発振器の固定がより強固になりこの発振器の姿勢を常に正しく保持できるので、複数個の発振器の振動ベクトルが揃い、効率的に前記振動伝播マットに振動を伝播できる。【００２２】  本発明実施例４について図５を用いて説明する。低周波発振器１を複数個配置した体感音響マット２において、前記低周波発信器が厚さ１５ｍｍの振動伝播マット３に接触固定されており、前記低周波発信器の上面が振動伝播マットの上面よりも５ｍｍ下方に位置している。前記低周波発信器の下面は厚み１５ｍｍの自由振動マット４の下面よりも２ｍｍ上方に位置するように配置してある。キルティング表地７は前記振動伝播マットの上方に位置するように、また、前記自由振動マットの下方には布裏地８を配置している。前記キルティング表地と布裏地は互いに縫い合わせてあり袋状の形状としている。その中に低周波発信器を取り付けた振動伝播マットおよび自由振動マットを収めている。
【発明の効果】
【００２３】  本発明の体感音響ベッドパッドを用いるとベッドパッドとしての寝心地感を損なうことなく、低周波発振器の振動を効率的に人体に伝える体感音響ベッドパッドを提供できる。このベッドパッドを用いて、音楽に合わせた低周波振動を人体に与えることでリラクセーション効果が期待できる。
【図面の簡単な説明】
【図１】本発明の実施例１を示す構成図である。
【図２】本発明の実施例１を示す正面図である。
【図３】本発明の実施例２を示す構成図である。
【図４】本発明の実施例３を示す構成図である。
【図５】本発明の実施例４を示す構成図である。
【符号】
１は低周波発振器、２は体感音響マット、３は振動伝播マット、４は自由振動マット、５は体接触シート、６は振動伝播ブロック、７はキルティング表地、８は布裏地、１００は人体、１０１はベッド本体である。
【図１】
2006043361.tif 000003
【図２】
2006043361.tif 000004
【図３】
2006043361.tif 000005
【図４】
2006043361.tif 000006
【図５】
2006043361.tif 000007